(57)【要約】【課題】ストロボ発光部正面にカラーフィルターを装着するストロボの閃光補助光を使用するとデフォーカス量を補正する。【解決手段】閃光発光ストロボによるＡＦ補助光を発光する手段（３５０）と、フラッシュ発光部の正面にカラーフィルター（３４１）を装着し閃光発光を行う手段（３５０）と、装着したカラーフィルターの種類を識別する手段（３４２）と、カラーフィルターの種類に応じてＡＦ補助光時のデフォーカス量を補正することを特徴としたカメラシステム。【選択図】図１
2015145903.tif 000002
【特許請求の範囲】
【請求項１】
閃光発光ストロボによるＡＦ補助光を発光する手段（３５０）と、
フラッシュ発光部の正面にカラーフィルター（３４１）を装着し閃光発光を行う手段（３５０）と、装着したカラーフィルターの種類を識別する手段（３４２）と、カラーフィルターの種類に応じてＡＦ補助光時のデフォーカス量を補正することを特徴としたカメラシステム。
【発明の詳細な説明】
【技術分野】
【０００１】
本発明は、カメラとストロボのAF補助光に関するもので特にピント補正に関する。
【背景技術】
【０００２】
従来、カメラのＡＦ（オートフォーカス）機能を用いて焦点検出を行うカメラシステムにおいて、被写体が低輝度な状態や、周囲の光が暗い場合などにおいて、焦点検出手段による焦点検出信号が低いために、焦点検出が不可能な場合があった。
【０００３】
焦点検出手段による焦点検出不可能な場合に、カメラに、あるいはストロボに搭載した赤外ＬＥＤを補助光照明手段として発光することにより補助光源として機能することが知られている。この時補助光源により被写体輝度が向上し、焦点検出信号が増大することが知られている。
【０００４】
また、焦点検出手段による焦点検出が不可能な場合には前記ストロボに搭載した発光手段を焦点検出用の補助光源として間欠発光させる発光制御手段が知られている。
【０００５】
前記発光手段を補助光源として間欠発光させるとき１回または複数回の発光ごとに発光時間または発光間隔時間を段階的に変更すること（特許文献１参照）が知られている。
【０００６】
また、ＡＦ補助光の発光の有無を交換レンズ側で認識できない場合に、カメラからレンズに補助光発光の信号を伝達する自動焦点カメラ装置が知られている（特許文献２参照）。
【先行技術文献】
【特許文献】
【０００７】
【特許文献１】特開2000-338386号公報
【特許文献２】特開2009-20525号公報
【発明の概要】
【発明が解決しようとする課題】
【０００８】
一方、カラーフィルターをストロボ発光部に装着することが可能なストロボシステムにて、ユーザーが装着したカラーフィルター種類もしくは色により、ストロボ閃光補助光の色温度が変化する。照明光であるＡＦ補助光の色温度が変化すると、レンズの色収差や、焦点検出手段であるＡＦセンサ用レンズの色収差などにより、焦点検出信号の変化が生じることにより、ＡＦピントずれを生じるという問題がある。
【課題を解決するための手段】
【０００９】
本発明の構成は、
閃光発光ストロボによるＡＦ補助光を発光することが可能であり、
フラッシュ発光部の正面にカラーフィルターを装着し、閃光発光の着色を行うことが可能であり、装着したカラーフィルターの種類を識別する手段と、カラーフィルターの種類に応じて、ＡＦ補助光時のデフォーカス量を補正することが可能なカメラシステムである。
【発明の効果】
【００１０】
本発明によれば、ストロボ閃光補助光を発光に際し、カラーフィルター使用時にカラーフィルター特有のピントずれを防止するという効果が得られる。
【図面の簡単な説明】
【００１１】
【図１】カメラマイコン１０１の具体的な動作についてのシーケンスを説明するフローチャート
【図２】カメラシステムについての説明図
【発明を実施するための形態】
【００１２】
以下に、本発明の好ましい実施の形態を、添付の図面に基づいて詳細に説明する。図２は、本発明の実施形態にかかわるブロック図である。
【００１３】
［実施例１］
以下、図２を参照して、本発明の実施例による、カメラシステム（デジタルカメラ、レンズ、ストロボ装置で構成する）について説明する。
【００１４】
１００はカメラ本体を、２００はレンズを、３００はストロボ装置（閃光装置）を、それぞれ示している。
【００１５】
まず、カメラ本体１００内の構成について説明する。
【００１６】
１０１はカメラ１００の各部を制御するマイクロコンピュータＣＣＰＵ（以下、カメラマイコン）である。
【００１７】
カメラマイコン１０１は、例えばＣＰＵ、ＲＯＭ、ＲＡＭ、入出力制御回路（Ｉ／Ｏコントロール回路）、マルチプレクサ、タイマ回路、ＥＥＰＲＯＭ（電気的にデータを消去・書き込みできるＲＯＭ）、Ａ／Ｄコンバータ、Ｄ／Ａコンバータ等を含むマイコン内蔵ワンチップＩＣ回路構成となっている。
【００１８】
そして、カメラシステムの制御をソフトウェアで行えるものであり、各種の条件判定を行う。
【００１９】
１０２は赤外カットフィルタやローパスフィルタ等を含むＣＣＤ，ＣＭＯＳ等の撮像素子であり、後述のレンズ群２０２によって撮影時に被写体の像が結像されると電気信号に変換する。
【００２０】
１０３はシャッターで非撮影時には撮像素子１０２を遮光し、撮影露光時にはシャッター幕を開いて撮像素子１０２へ光線を導く。
【００２１】
１０４は主ミラー（ハーフミラー）で非撮影時にレンズ群２０２より入射する光の一部を反射し１０５のピント板に結像させる。
【００２２】
１０５はピント板であり、ここに投影された像を不図示の光学ファインダーから撮影者が目視で確認する。
【００２３】
１０６は測光回路であり、この回路内の測光センサは被写体の撮影範囲を複数の領域に分割しそれぞれの領域で測光を行う。
【００２４】
１０７は焦点検出回路であり、回路内の測距センサは複数点を測距ポイントとして持ち、被写体までの距離を測距し、また測光センサの分割された部分に対応した位置に測距ポイントが含まれているよう構成されている。
【００２５】
測光回路１０６内の測光センサは後述する１１４のペンタプリズムを介してピント板１０５に結像された被写体像を見込んでいる。
【００２６】
１０８は撮像素子１０２の電気信号の増幅のゲインを切換えするためのゲイン切換え回路であり、ゲインの切換えは撮影の条件や撮影者の入力等によりカメラマイコン１０１が切換えを行う。
【００２７】
１０９は増幅された撮像素子１０２からの電気信号をデジタル信号に変換するＡ／Ｄ変換器であり、１１０は撮像素子１０２の増幅された電気信号入力とＡ／Ｄ変換器１０９のＡ／Ｄ変換タイミングを同期させるためのタイミングジェネレータ（ＴＧ）である。
【００２８】
１１１はＡ／Ｄ変換器１０９でデジタル信号に変換された画像データを所定の現像パラメータにしたがって画像処理を行うデジタル信号処理回路である。
【００２９】
尚、処理画像の記憶のためのメモリ等は省略する。
【００３０】
ＳＣはカメラ１００とレンズ２００及びストロボ装置３００とのインタフェース用信号ラインである。例えばカメラマイコン１０１をホストとしてデータの交換やコマンドの伝達を相互に行う。
【００３１】
これにより、ストロボ装置３００への発光開始信号や後述するストロボマイコン３１０との通信クロック端子を持ち、カメラマイコン１０１からストロボマイコン３１０間で通信を可能にしている。
【００３２】
同様にＳＣは後述するレンズマイコン２０１とのインタフェースであり、レンズマイコン２０１からカメラマイコン１０１にデータを送信する端子を有し、カメラマイコン１０１とレンズマイコン２０１間で通信を可能にしている。
【００３３】
１１２は各種入力部であり、撮像素子１０２のゲインの設定を入力する事や、制御系スイッチやボタンなどでカメラの設定などを外部から入力する事が可能である。
【００３４】
１１３は各種設定されたカメラの撮影モードやその他の撮影情報などを表示する液晶装置や発光素子などからなる表示部である。
【００３５】
１１４はペンタプリズムで、ピント板１０５の被写体像を測光回路１０６内の測光センサ及び不図示の光学ファインダーに導く。
【００３６】
１１５はサブミラーで、レンズ群２０２より入射し主ミラー１０４を透過した光線を焦点検出回路１０７の測距センサへ導く。
【００３７】
次に、レンズ２００内の構成と動作について説明する。
【００３８】
２０１はレンズ２００の各部の動作を制御するマイクロコンピュータＬＰＵ（以下、レンズマイコン）である。
【００３９】
レンズマイコン２０１は、例えばＣＰＵ、ＲＯＭ、ＲＡＭ、入出力制御回路（Ｉ／Ｏコントロール回路）、マルチプレクサ、タイマ回路、ＥＥＰＲＯＭ（電気的にデータを消去・書き込みできるＲＯＭ）、Ａ／Ｄコンバータ、Ｄ／Ａコンバータ等を含むマイコン内蔵ワンチップＩＣ回路構成となっている。
【００４０】
そして、レンズ内の制御をソフトウェアで行えるもので、各種の条件判定を行う。
【００４１】
２０２は複数枚で構成されたレンズ群である。
【００４２】
２０３はレンズ群２０２の焦点位置合わせ用の光学系を移動させるレンズ駆動部であり、レンズ群２０２の駆動量は、カメラ１００内にある焦点検出回路１０７の出力に基づいてカメラマイコン１０１内にて演算され算出される。
【００４３】
２０４はレンズ群２０２の駆動時に位置を検出するエンコーダである。
【００４４】
カメラマイコン１０１で算出された駆動量はカメラマイコン１０１からレンズマイコン２０１にインタフェースＳＣを介して通信され、エンコーダ２０４の駆動情報により駆動量相当をレンズマイコン２０１がレンズ駆動部２０３を動作させ、レンズ群２０２が合焦位置へ移動させられる。
【００４５】
２０５は絞り、２０６は絞り制御回路である。
【００４６】
絞り２０５は絞り制御回路２０６を介してレンズマイコン２０１により制御される。
【００４７】
なお、レンズ群２０２の焦点距離は単焦点のものであっても、ズームレンズのように焦点距離は可変であっても構わない。
【００４８】
次に、ストロボ装置３００の構成について説明する。
【００４９】
３１０はストロボ装置３００の各部の動作を制御するマイクロコンピュータＦＰＵ（以下、ストロボマイコン）である。
【００５０】
ストロボマイコン３１０は、例えばＣＰＵ、ＲＯＭ、ＲＡＭ、入出力制御回路（Ｉ／Ｏコントロール回路）、マルチプレクサ、タイマ回路、ＥＥＰＲＯＭ（電気的にデータを消去・書き込みできるＲＯＭ）、Ａ／Ｄ、Ｄ／Ａコンバータ等を含むマイコン内蔵ワンチップＩＣ回路構成となっている。
【００５１】
ストロボシステムの制御をソフトウェアで行えるもので、各種の条件判定を行う。
【００５２】
３０１はストロボの電源（ＶＢＡＴ）としての電池である。
【００５３】
３０２は電池３０１の電圧を数百Ｖに昇圧する昇圧回路であり、図示しないメインコンデンサに発光のためのエネルギーを蓄積させる。
【００５４】
メインコンデンサに充電された電圧は図示しない電圧検出回路により分圧され、分圧された電圧はストロボマイコン３１０のＡ／Ｄ変換端子に入力される。
【００５５】
３０６はトリガー回路である。
【００５６】
３０７は放電管であり、図示しないメインコンデンサに充電されたエネルギーをトリガー回路３０６から印加される数ＫＶのパルス電圧を受け励起する事で放電管３０７が発光し、その光を被写体に照射する。
【００５７】
３０８はトリガー回路３０６と共に放電管３０７の発光の開始を制御し、さらに発光の停止を制御する発光制御回路である。
【００５８】
３２３は放電管３０７の発光量を受光するセンサとしてのフォトダイオードであり、直接またはグラスファイバーなどを介して放電管３０７の光を受光する。
【００５９】
３０９はフォトダイオード３２３の受光電流を積分する積分回路であり、その出力は３１２のコンパレータの反転入力端子とストロボマイコン３１０のＡ／Ｄコンバータ端子に入力される。
【００６０】
コンパレータ３１２の非反転入力はストロボマイコン３１０内のＤ／Ａコンバータ出力端子に接続され、コンパレータ３１２の出力は３１１のＡＮＤゲートの入力端子に接続される。
【００６１】
ＡＮＤゲート３１１のもう一方の入力はストロボマイコン３１０の発光制御端子と接続され、ＡＮＤゲート３１１の出力は発光制御回路３０８に入力される。
【００６２】
３１５は反射傘、３１６はパネル等から成りストロボ装置３００の照射角を変更するズーム光学系である。ここで、反射傘３１５とズーム光学系３１６の距離を所定の位置に変更することにより、被写体への照射ガイドナンバー及び配光を変化させることが可能となる。
【００６３】
３１３はモータードライバー回路およびモーター等から成るズーム光学系３１６を移動させるズーム駆動部であり、ズーム光学系３１６の駆動量はストロボマイコン３１０のズーム制御端子より信号を受け駆動される。
このズーム駆動量はレンズマイコン２０１からカメラマイコン１０１へ焦点距離情報が通信により与えられカメラマイコン１０１を介してストロボマイコン３１０に通信され、その焦点距離情報に応じてストロボマイコン３１０でズームの駆動量が演算される。
【００６４】
３１４はズーム光学系３１６のズーム位置を検出するエンコーダ等の位置検出部であり、ストロボマイコン３１０の位置信号端子に移動情報を与え、ストロボマイコン３１０の位置信号端子にて必要な駆動量分だけズーム駆動部３１３内のモーターを動作させる。
【００６５】
３５０はストロボ装置３００のバウンスが可能な主発光部である
３４０は赤外用ＬＥＤ、３４１は発光部のズーム光学系３１６に装着可能なカラーフィルター、３４２はカラーフィルターの装着有無および種類を判別するための検知スイッチである。
【００６６】
主発光部３５０にカラーフィルター３４０を装着して発光すると、ストロボの照射光にカラーフィルターの色が加わることにより照射光に着色することができる。たとえば赤いカラーフィルターを使用すると照射された閃光発光は赤くなり、また青いカラーフィルターを装着すると閃光発光は青くなる。
【００６７】
３２０は各種入力部（入力インタフェース）であり、例えばストロボ装置３００の側面などにスイッチが設置されており、手動によりズーム情報を入力することも可能である。
【００６８】
３２１はストロボ装置３００の各状態を表示する表示部である。
【００６９】
３２２はスイッチなどで構成されるストロボのバウンス状態を検知するバウンス検出回路である。
【００７０】
以上が、本発明の第1の実施例による、カメラシステム（デジタルカメラ、レンズ、ストロボ装置で構成する）である。
【００７１】
次に、カメラマイコン１０１の具体的な動作について、次に図１のフローチャートにより本発明のシーケンスを説明する。
【００７２】
ステップＳ１０１では、カメラマイコン１０１自身のメモリやポートの初期化を行う。
また入力部１１２より入力されたスイッチの状態や予め設定された入力情報を読み込み、シャッタースピードの決め方や、絞りの決め方等様々な撮影モードの設定を行う。
【００７３】
ステップＳ１０２では、被写体の輝度が暗くＡＦ補助光が必要な条件かどうかを判別する。ＡＦ補助光を発光する必要があると判断した場合にはステップＳ１０３へ遷移し、ＡＦ補助光を発光する必要がないと判断した場合にはステップＳ１１３へ遷移する。
【００７４】
ステップＳ１０３では、ＡＦ補助光の選択を行う。ストロボ閃光発光モードを用いたＡＦ補助光の場合にはステップＳ１０４へ遷移する。一方、ストロボ閃光発光モードでなく赤外ＬＥＤを用いたＡＦ補助光の場合にはステップＳ１０５へ遷移し赤外ＬＥＤを発光許可とし、ステップＳ１１０へ遷移する。
【００７５】
ステップＳ１０４ではストロボマイコン３１０が充電完了信号を出力しているかどうかをチェックする。ここで、ストロボマイコン３１０が充電完了信号を出力していない場合には、充電完了するまで待機し、充電完了信号を出力しているならばストロボ発光許可するとともに、ステップＳ１０６へ進む。
【００７６】
ステップＳ１０６ではストロボ発光部３５０にカラーフィルター３４１が装着されているかどうかをチェックする。ここで、ストロボマイコン３１０が検知スイッチ３４２信号をもとに、カラーフィルターが装着されていない場合には、ステップＳ１０９へ遷移する。
【００７７】
カラーフィルターが装着されている場合にはステップＳ１０７へ遷移し、カラーフィルターの種類を判別する。
【００７８】
つづいてステップＳ１０８へ進む。
【００７９】
ステップＳ１０８、Ｓ１０９、Ｓ１１０では、あらかじめ記憶メモリに格納されているデータテーブルを参照する。
【００８０】
ステップＳ１０８では、カラーフィルターが装着されており、カラーフィルター３４１の種類に対応した発光波長を照射されるＡＦセンサピントの移動を生じるので、カラーフィルターの種類に対応したＡＦセンサに対するデフォーカス量の補正テーブルを選択する。
【００８１】
一方、ステップＳ１０９ではカラーフィルターが装着されていないので、通常照射されるストロボ閃光の色温度に対応したＡＦセンサに対するデフォーカス量の補正テーブルを設定する。
【００８２】
またステップＳ１１０では赤外ＬＥＤ補助光を使用するので、通常照射される赤外ＬＥＤの波長に対応したＡＦセンサに対するデフォーカス量の補正テーブルを設定する。
【００８３】
続いて、ステップ１１１およびステップ１１２ではＡＦ動作とＡＦ補助光の発光を開始するとともに、ストロボ発光あるいは赤外ＬＥＤのいずれか、前述ステップで設定した補助光の種類に対応したデフォーカス量の補正テーブルを用いてピントの補正量を算出する。
【００８４】
ステップＳ１０８、あるいはＳ１０９、Ｓ１１０で設定した補正値を用いてデフォーカス量を演算し、ピントの補正量としてのレンズ群２０２の駆動量を決定する。
【００８５】
ステップＳ１１４では、レンズ群２０２の焦点位置合わせ用の光学系を移動させる。
なお、ステップＳ１１３に遷移した場合においては、前述のステップＳ１０２で補助光発光が不要と判断しているので、補助光投光を不作動とし、ＡＦ動作を開始する。
以上が、本発明の実施例におけるシーケンスである。
【符号の説明】
【００８６】
３４０ 赤外用ＬＥＤ、
３４１ カラーフィルター
３４２ 検知スイッチ
【図１】
2015145903.tif 000003
【図２】
2015145903.tif 000004